(57)【要約】【課題】バッテリー交換後に交換前に再生していた個所より再生開始することを可能とする。【解決手段】光ディスクからデータを読み出し、再生を行う再生手段１２と、電源となる電池１０と、電池１０の残量を検出する残量検出手段１１と、電池１０の残量が所定量より少ない場合、所定の表示を行う表示手段１４と、使用者が、前記所定の表示に対応する所定の操作を行ったことを検出する操作検出手段１５と、前記操作が検出された場合、再生中の前記データの記録位置情報を記憶する記憶手段１３と、電池１０が交換された後、記憶手段１３により記憶されている前記データの記録位置から再生を開始する様に、再生手段１２を制御する制御手段１６とを備えた電池駆動型ディスク再生装置。【選択図】  図１
2004326900.tif 000002
【特許請求の範囲】
【請求項１】
情報記録媒体からデータを読み出し、再生を行う再生手段と、
電源となる電池の残量を検出する残量検出手段と、
前記電池の残量が所定量より少ない場合、所定の表示を行う表示手段と、
使用者が、前記所定の表示に対応する所定の操作を行ったことを検出する操作検出手段と、
前記操作が検出された場合、再生中の前記データの記録位置情報を記憶する記憶手段と、
前記電池が交換された後、前記記憶手段により記憶されている前記データの記録位置から再生を開始する様に、前記再生手段を制御する制御手段とを備えた電池駆動型情報記録媒体再生装置。
【請求項２】
前記所定の表示は、前記記録位置の記憶を指示する操作を促す請求項１記載の電池駆動型情報記録媒体再生装置。
【請求項３】
前記所定の表示は、前記電池交換を促す表示であり、
前記所定の操作とは、再生を停止する、又は前記電源を切る操作である請求項１記載の電池駆動型情報記録媒体再生装置。
【請求項４】
前記所定の操作を第１の操作とし、
前記制御手段は、前記電池を交換した後、第２の所定の操作が行われた場合に、前記記憶手段により記憶されている前記データの記録位置から再生を開始する様に、前記再生手段を制御する制御手段である請求項１記載の電池駆動型情報記録媒体再生装置。
【請求項５】
前記電池の残量が所定量より少ない場合とは、前記データの再生を最後まで終了させるに足る電池の残量より少ない場合である請求項１記載の電池駆動型情報記録媒体再生装置。
【請求項６】
情報記録媒体からデータを検出し、再生を行う再生工程と、
電池の残量を検出する残量検出工程と、
前記電池の残量が所定量より少ない場合、使用者に所定の操作を促す表示を行う表示工程と、
前記使用者が、前記所定の操作を行ったことを検出する操作検出工程と、
前記操作が検出された場合、再生中の前記データの記録位置情報を記憶する記憶工程と、
前記電池を交換した後、前記記憶工程により記憶されている前記データの記録位置から再生を開始する様に、前記再生工程を制御する制御工程とを備えた再生方法。
【請求項７】
請求項１記載の電池駆動型情報記録媒体再生装置の、
前記電池の残量を検出する残量検出手段と、
前記操作が検出された場合、再生中の前記データの記録位置情報を記憶する記憶手段と、
前記電池を交換した後、前記記憶手段により記憶されている前記データの記録位置から再生を開始する様に、前記再生手段を制御する制御手段としてコンピュータを機能させるためのプログラム。
【請求項８】
請求項７記載のプログラムを担持した記録媒体であって、コンピュータにより処理可能な記録媒体。
【発明の詳細な説明】
【０００１】
【発明の属する技術分野】
本発明は、電池で駆動できる情報記録媒体再生装置に関するものである。
【０００２】
【従来の技術】
従来、電池残量が少なくなってきた場合に警告する電池駆動型情報再生装置が知られている（例えば、特許文献１参照。）。
【０００３】
図４は、従来の電池駆動型情報再生装置の構成ブロック図である。図４に示す様に、従来の情報再生装置は、電源となる電池１００と、電池１００を制御する電源制御手段１０１と、電池１００の電流電圧値を測定する電流・電圧センサ１０２と、ＣＰＵ１０３とを備えている。
【０００４】
又、音楽を記憶するコンパクトフラッシュ（登録商標）等の外部記憶手段１０４、外部記憶手段１０４に記憶されている音楽を再生するための音楽再生回路１０５、音楽信号を音として外部へ出力するスピーカ１０６、及び使用者が音楽の選択、再生及び停止などを指示するための操作スイッチ１０７が設置されている。
【０００５】
この操作スイッチ１０７の操作を検出して、ＣＰＵ１０３に通知するための操作制御手段１０８が設置されている。更に、音楽の再生の経過時間を計測するタイマ１０９、及びプログラム及びデータを保持するメモリ１１０が設置されている。上記各手段及び電池を接続するためのシステムバス１１１が設置されている。
【０００６】
以上の構成の従来の情報再生装置の動作を以下に述べる。
【０００７】
ＣＰＵ１０３は、選択された曲の演奏時間を取得し、電流電圧センサ１０２から電池１００の残量を取得する。次に、ＣＰＵ１０３は、電池１００の残量から、残りの動作可能時間を計算する。
【０００８】
次に、ＣＰＵ１０３は、選択された曲の再生時間と動作可能時間とを比較する。動作可能時間内に選択された曲を再生出来る場合、選択された曲の再生を開始する。
【０００９】
又、残りの動作可能時間が、選択された曲の再生時間より短い場合、警告音を発して、最後まで再生出来ない場合がありうることを使用者に知らせる。それでも、使用者が、操作スイッチ１０７の再生ボタンを押した場合には、選択された曲の再生を開始し、それ以外の操作がされた場合には、新たな曲を選択する。
【００１０】
【特許文献１】
特開２００１−３３３３６８号公報（例えば、第４頁、図４）
【００１１】
【発明が解決しようとする課題】
このような情報再生装置においては、ユーザーが再生中のプログラムの再生終了までバッテリーで動作できないことを通知することはできるが、ユーザーがバッテリー交換後に再び再生個所を選び直して再生を開始させることが要求されている。
【００１２】
例えば、音楽ＣＤ中の所定の曲を演奏している最中に、演奏が停止し、その曲の停止した箇所から聴きたい場合には、電池交換後に、その曲を選択し、続いて、所定の箇所まで、サーチする必要があった。又、途中で停止した曲を最初から聴きたい場合にも、その曲を選択するという行為が必要であった。
【００１３】
一方、ＤＶＤ等の映画を再生している場合にも、上記と同様に、停止した箇所をサーチする必要があった。
【００１４】
上記従来の課題を考慮し、本発明の目的は、電池交換後に、交換前に再生していた個所より再生開始することが可能である電池駆動型情報記録媒体再生装置を提供することである。
【００１５】
【課題を解決するための手段】
上述した課題を解決するために、第１の本発明は、情報記録媒体からデータを読み出し、再生を行う再生手段と、電源となる電池の残量を検出する残量検出手段と、前記電池の残量が所定量より少ない場合、所定の表示を行う表示手段と、使用者が、前記所定の表示に対応する所定の操作を行ったことを検出する操作検出手段と、前記操作が検出された場合、再生中の前記データの記録位置情報を記憶する記憶手段と、前記電池が交換された後、前記記憶手段により記憶されている前記データの記録位置から再生を開始する様に、前記再生手段を制御する制御手段とを備えた電池駆動型情報記録媒体再生装置である。
【００１６】
又、第２の本発明は、前記所定の表示は、前記記録位置の記憶を指示する操作を促す第１の本発明の電池駆動型情報記録媒体再生装置である。
【００１７】
又、第３の本発明は、前記所定の表示は、前記電池交換を促す表示であり、
前記所定の操作とは、再生を停止する、又は前記電源を切る操作である第１の本発明の電池駆動型情報記録媒体再生装置である。
【００１８】
又、第４の本発明は、前記所定の操作を第１の操作とし、前記制御手段は、前記電池を交換した後、第２の所定の操作が行われた場合に、前記記憶手段により記憶されている前記データの記録位置から再生を開始する様に、前記再生手段を制御する制御手段である第１の本発明の電池駆動型情報記録媒体再生装置である。
【００１９】
又、第５の本発明は、前記電池の残量が所定量より少ない場合とは、前記データの再生を最後まで終了させるに足る電池の残量より少ない場合である第１の本発明の電池駆動型情報記録媒体再生装置である。
【００２０】
又、第６の本発明は、情報記録媒体からデータを検出し、再生を行う再生工程と、電池の残量を検出する残量検出工程と、前記電池の残量が所定量より少ない場合、使用者に所定の操作を促す表示を行う表示工程と、前記使用者が、前記所定の操作を行ったことを検出する操作検出工程と、前記操作が検出された場合、再生中の前記データの記録位置情報を記憶する記憶工程と、前記電池を交換した後、前記記憶工程により記憶されている前記データの記録位置から再生を開始する様に、前記再生工程を制御する制御工程とを備えた再生方法である。
【００２１】
又、第７の本発明は、第１の本発明の電池駆動型情報記録媒体再生装置の、前記電池の残量を検出する残量検出手段と、前記操作が検出された場合、再生中の前記データの記録位置情報を記憶する記憶手段と、前記電池を交換した後、前記記憶手段により記憶されている前記データの記録位置から再生を開始する様に、前記再生手段を制御する制御手段としてコンピュータを機能させるためのプログラムである。
【００２２】
又、第８の本発明は、第７の本発明のプログラムを担持した記録媒体であって、コンピュータにより処理可能な記録媒体である。
【００２３】
【発明の実施の形態】
以下、本発明の実施の形態について、図面を参照しながら説明を行う。
【００２４】
（実施の形態１）
図１は、本発明における電池駆動型情報記録媒体再生装置の一例であるポータブルＤＶＤプレーヤーのブロック図である。図１に示す様に、本実施の形態１におけるポータブルＤＶＤプレーヤーは、電源となるバッテリー１０と、バッテリー１０の残量を検出する残量検出手段１１と、本発明の情報記録媒体の一例であるＤＶＤからデータを再生する再生手段１２とを備えている。
【００２５】
又、再生手段１２から再生中のデータ位置情報を得て記憶する記憶手段１３、ユーザーに特定の操作を指示する表示手段１４、及びユーザーの特定の操作を検出する操作検出手段１５が設置されている。この操作検出手段１５には、バッテリーの交換を行う際のバッテリー交換ボタン１８、再生、停止、電源等のボタン（図示せず）が接続されている。更に、残量検出手段１１からの情報により再生手段１２や表示手段１４を制御する制御手段１６が設置されている。又、上記各手段及びバッテリーを接続するためのシステムバス１７が設置されている。
【００２６】
上記構成の本実施の形態１におけるポータブルＤＶＤプレーヤーの動作について以下に説明するとともに、本発明の再生方法の一実施の形態について同時に述べる。
【００２７】
図２は、本実施の形態１におけるポータブルＤＶＤプレーヤーの再生中の位置情報の記憶制御手順に関するフローチャートである。又、図３は、本実施の形態１における記憶された位置情報による、ポータブルＤＶＤプレーヤーの再生開始手順に関するフローチャートである。
【００２８】
始めに、ステップＳ１にて、ポータブルＤＶＤプレーヤーが再生中か否かの判定が行われる。結果が真の場合（再生中の場合）、次に、ステップＳ２にて、残量検出手段１１により得られる情報からバッテリー１０の残量を取得する。
【００２９】
次に、ステップＳ３にて、バッテリー１０の残量が、所定量以下であるか否かが判定される。結果が真の場合（バッテリー１０の残量が所定量以下と判定された場合）、次に、ステップＳ４にて、表示手段１４に、「バッテリーを交換してください。バッテリー交換ボタン１８を押してから、バッテリーを交換し電源を入れると続きから再生を始めます。」という表示を制御手段１６によって行う。
【００３０】
ここで、ステップＳ２であるバッテリー残量の取得工程と、ステップＳ３であるバッテリー残量の判定は、ＤＶＤの再生中、繰り返し行われている。
【００３１】
次に、ステップＳ５にて、上記表示に従って、ユーザーがバッテリー交換ボタン１８を押したか否かが、操作検出手段１５により検出される。バッテリー交換ボタン１８を押したことが検出された場合、次に、ステップＳ６にて、制御手段１６が、現在再生中のＤＶＤの記録位置情報を再生手段１２より得て、その情報を記憶手段１３に記憶させる。一方、ステップＳ１、Ｓ３、及びＳ５にて、判定結果が偽の場合は、そのまま終了する。
【００３２】
続いて、以下に、バッテリー１０の交換後の動作を図３に基づいて説明を行う。
【００３３】
バッテリー１０を交換し、ステップＳ１１にて、再び、バッテリー交換ボタン１８が押す操作が行われていたか否かが、操作検出手段１５により検出される。操作が検出された場合、次に、ステップＳ１２にて、制御手段１６が、記憶手段１３に記憶されているＤＶＤの再生位置情報を取得する。
【００３４】
次に、ステップＳ１３にて、制御手段１６が再生手段１２を制御し、取得した再生位置より再生を開始させる。
【００３５】
以上の様に、記憶手段１３に記憶されたデータの記録位置情報に従ってバッテリー交換前に再生していた位置より再生開始を行うことが出来る。
【００３６】
尚、本発明の電池は、本実施の形態１における充電可能な二次電池であるバッテリー１０に相当するが、一次電池でも良い。
【００３７】
又、本実施の形態１において、ＤＶＤによる映像の再生中、ステップＳ１とステップＳ２を繰り返しているが、映像の再生前に、バッテリー１０の残量が少ないか否かの判断を行っても良い。
【００３８】
この場合、映像の再生時間と、バッテリー１０の残量から可能である再生時間とを比較して、映像を再生出来ない場合に、使用者に特定の操作を促す表示が行われる。
【００３９】
又、本実施の形態１では、バッテリー１０の残量が少ないか否かの判断を、所定の量を閾値として判断しているが、再生中に、残りの再生時間と、バッテリー１０の残量から可能である再生時間とを比較して、映像等の再生を行うことが可能か否かを判断しても良い。
【００４０】
又、本発明の情報記録媒体は、本実施の形態１では、ＤＶＤに相当し、本発明の電池駆動型情報記録媒体再生装置は、ポータブルＤＶＤプレーヤーに相当するが、音楽ＣＤ、ＭＤ等の再生を行うポータブルＣＤプレーヤー、ポータブルＭＤプレーヤー、又は小型メモリーカードの再生を行うポータブルＭＰ３プレーヤーであっても良い。要するに、情報記録媒体と、その情報記録媒体に記録されているデータを再生可能な電池駆動型情報記録媒体再生装置でありさえすればよい。
【００４１】
本発明の電池駆動型情報記録媒体再生装置が、ポータブルＣＤプレーヤ等の場合にも、選択された曲の再生前にバッテリー１０の残量が少ないか否かの判断を行っても良い。この場合、選択された曲の再生時間と、バッテリー１０の残量から可能である再生時間とを比較して、曲を再生出来ない場合に、使用者に特定の操作を促す表示が行われる。
【００４２】
又、ポータブルＣＤプレーヤー等の場合、本実施の形態１におけるステップ２Ｓの判定は、選択された１曲を再生することが可能かどうかを判定しても、複数の曲を選択して、それらの曲全てを再生することが可能かどうかを判定しても良い。
【００４３】
又、本発明の所定の操作は、本実施の形態１では、ステップＳ５でのバッテリー交換ボタン１８を押す操作に相当するが、ＤＶＤプレーヤ等が通常有している再生、停止等の既存のボタンの組み合わせであっても良い。
【００４４】
又、本発明の第２の所定の操作とは、本実施の形態１では、ステップＳ１１における、再度バッテリー交換ボタン１８を押す操作に相当するが、ステップＳ５の操作と同様の操作でなくても良く、既存のボタンの組み合わせであっても良い。
【００４５】
又、本実施の形態１におけるステップＳ１１では、バッテリー１０交換後に再び、バッテリー交換ボタン１８を押す操作を行っているが、このステップＳ１１の操作（再び、バッテリー交換ボタン１８を押す操作）を行わず、バッテリー交換前のステップＳ５において、バッテリー交換ボタン１８が押されたか否かを記憶し、押されたことを記憶している場合にのみ、記録位置から再生を行う様にしても良い。
【００４６】
又、バッテリー１０を交換する際に、電池駆動型情報記録媒体再生装置の電源をオフにする必要があるため、ステップＳ５におけるバッテリー交換ボタン１８を有さずに、この電源をオフした時の信号を用いて、電源オフ時の再生位置の記録を行う様に、制御手段１６による制御を行っても良い。
【００４７】
尚、本発明のプログラムは、上述した本発明の電池駆動型情報記録媒体再生装置の全部又は一部の手段の機能をコンピュータにより実行させるためのプログラムであって、コンピュータと協働して動作するプログラムである。
【００４８】
又、本発明の記録媒体は、上述した本発明の電池駆動型情報記録媒体再生装置の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００４９】
尚、本発明の上記「一部の手段」とは、それらの複数の手段の内の、一つ又は幾つかの手段を意味する。
【００５０】
又、本発明の上記「手段の機能」とは、前記手段の全部又は一部の機能を意味する。
【００５１】
又、本発明のプログラムの一利用形態は、コンピュータにより読み取り可能な記録媒体に記録され、コンピュータと協働して動作する態様であっても良い。
【００５２】
又、本発明のプログラムの一利用形態は、伝送媒体中を伝送し、コンピュータにより読み取られ、コンピュータと協働して動作する態様であっても良い。
【００５３】
又、記録媒体としては、ＲＯＭ等が含まれ、伝送媒体としては、インターネット等の伝送媒体、光・電波・音波等が含まれる。
【００５４】
又、上述した本発明のコンピュータは、ＣＰＵ等の純然たるハードウェアに限らず、ファームウェアや、ＯＳ、更に周辺機器を含むものであっても良い。
【００５５】
尚、以上説明した様に、本発明の構成は、ソフトウェア的に実現しても良いし、ハードウェア的に実現しても良い。
【００５６】
【発明の効果】
以上説明したことから明らかな様に、本発明は、電池交換前に再生していた位置より再生を開始させることが出来る電池駆動型情報記録媒体再生装置を提供することが出来る。
【図面の簡単な説明】
【図１】本発明にかかる実施の形態１におけるポータブルＤＶＤプレーヤの概略構成ブロック図
【図２】本発明にかかる実施の形態１における再生中の位置情報の記憶制御手順に関するフロー図
【図３】本発明にかかる実施の形態１における記憶された位置情報による再生開始手順に関するフロー図
【図４】従来の電池駆動型情報再生装置の概略構成ブロック図
【符号の説明】
１０  バッテリー
１１  残量検出手段
１２  再生手段
１３  記憶手段
１４  表示手段
１５  操作検出手段
１６  制御手段
１７  システムバス
１８  バッテリー交換ボタン
【図１】
2004326900.tif 000003
【図２】
2004326900.tif 000004
【図３】
2004326900.tif 000005
【図４】
2004326900.tif 000006